(57)【要約】【課題】配線の取り付け作業や、取り外し作業等を容易にする遊技機を提供することを目的とする。【解決手段】  本発明に係る遊技機は、配線の装着が可能なコネクタを少なくとも一つ有する第１の基板２００と、第１の基板２１０の少なくとも一部を覆うようにして配置され、少なくとも一つのコネクタを有する可動部材からなる第２の基台３００とを備え、第１の基台２００は第２の基台３００の可動により覆われている部分の少なくとも一部が露出することを特徴とする。【選択図】      図３
2006204810.tif 000002
【特許請求の範囲】
【請求項１】
配線の装着が可能なコネクタを少なくとも一つ有する第１の基台と、
前記第１の基台の少なくとも一部を覆うようにして配置され、少なくとも一つのコネクタを有する可動部材からなる第２の基台とを備え、
前記第１の基台は前記第２の基台の可動により覆われている部分の少なくとも一部が露出する、
ことを特徴とする遊技機。
【請求項２】
遊技機本体の一部を構成する本体枠と、
前記本体枠における背面側に配置された台座とを備え、
可動部材からなる前記第２の基台の一端および前記台座には、一方に軸部が形成されて他方には係止部が形成され、
前記軸部と前記係止部とで回動可能に係止されることを特徴とする請求項１に記載の遊技機。
【請求項３】
前記第２の基台の何れか一端には前記第２の基台の回動を防止する固定部が形成され、
前記第２の基台は前記固定部により前記本体枠における背面側に固定されることを特徴とする請求項１または２に記載の遊技機。
【請求項４】
前記第１の基台における前記第２の基台に覆われない位置に属するコネクタと前記第２の基台との間には空間が形成されていることを特徴とする請求項１〜３の何れか一項に記載の遊技機。
【請求項５】
前記第１の基台と前記第２の基台との間には、前記第１の基台における前記第２の基台に覆われた位置に属するコネクタに装着される配線の着脱作業をする際に、当該配線の移動に必要な間隔が設けられていることを特徴とする請求項１〜４の何れか一項に記載の遊技機。
【請求項６】
前記第２の基台の側面は、前記第１の基台のコネクタに装着される配線を着脱する際における着脱動作を安定させる着脱動作安定部であることを特徴とする請求項４記載の遊技機。
【発明の詳細な説明】
【技術分野】
【０００１】
本発明は、遊技機に関し、特に遊技機内部に、コネクタに装着される配線を具備するパチンコ遊技機やスロットマシン等の遊技機に適用して有効な技術に関するものである。
【背景技術】
【０００２】
近年、遊技機は、より複雑な演出をするために、より多くの電子制御部品（電子部品）を遊技機内部（本体枠背面）に搭載するようになってきている。また、搭載する電子部品の増加に伴い、必要となるコネクタの数も増加し、コネクタの配置が複雑なものになってきている。
【０００３】
そのため、コネクタの間隔を詰めることにより、コネクタが整然と配置された遊技機も登場している（例えば、特許文献１）。
【特許文献１】特開２００１−１８５８２３号公報
【発明の開示】
【発明が解決しようとする課題】
【０００４】
しかしながら、間隔を詰めてコネクタを配置した遊技機においては、コネクタを整然と配置することができるものの作業スペースが失われるため、当該コネクタへ配線（ハーネス）を取り付ける作業、当該コネクタから配線を取り外す作業等が困難になるという問題が新たに生じてしまう。かといって、本体枠背面のスペースは限られているため、コネクタの間隔を広げることは難しい。
【０００５】
そのため、限られたスペースを有効に利用してコネクタを配置することで、配線の取り付け作業や、取り外し作業等が容易となる遊技機の登場が望まれていた。
【０００６】
そこで、本発明は、配線の取り付け作業や、取り外し作業等を容易にする遊技機を提供することを目的とする。
【課題を解決するための手段】
【０００７】
上記課題を解決するため、請求項１に記載の本発明の遊技機は、配線（配線６１０）の装着が可能なコネクタ（例えば、基板側コネクタ３１０ｂ，５０１ａ，５０１ｂ，５０２，５０３など）を少なくとも一つ有する第１の基台（第１の基板２１０）と、第１の基台の少なくとも一部を覆うようにして配置され、少なくとも一つのコネクタを有する可動部材からなる第２の基台とを備え、第１の基台は第２の基台（第２の基台３００）の可動により覆われている部分の少なくとも一部が露出することを特徴とする。
【０００８】
このように、コネクタを有する基板を重ねて配置することにより、コネクタを配置可能な面積が増加し、限られたスペースをより有効に利用してコネクタを配置することができる。そのため、コネクタの間隔を広げて作業スペースを確保することもでき、コネクタに装着される配線の着脱作業、すなわち、配線の取り付け作業や、取り外し作業等を容易にすることが可能となる。
【０００９】
また、第２の基台は可動するようになっているので、第１の基台を覆うようにして配置されている第２の基台を取り外さずとも、当該第２の基台を可動させることにより、第１の基台と第２の基台との間に作業スペースを生じさせることができる。
【００１０】
そのため、第１の基台のコネクタへ配線を取り付ける作業や、第１の基台のコネクタから配線を取り外す作業等を容易にすることが可能となる。
【００１１】
請求項２に記載の本発明は、請求項１に記載の発明の構成に加えて、遊技機本体の一部を構成する本体枠（本体枠３ａ）と、本体枠における背面側（遊技盤２ａ背面側）に配置された台座（台座６００）とを備え、可動部材からなる第２の基台の一端および台座には、一方に軸部（軸部３００ａ）が形成されて他方には係止部（軸受け部６００ａ）が形成され、軸部と係止部とで回動可能に係止されることを特徴とする。
【００１２】
これにより、第２の基台は回動可能に備えられているので、第１の基台を覆うようにして配置されている第２の基台を取り外さずとも、当該第２の基台を回動させることにより、第１の基台と第２の基台との間に作業スペースを生じさせることができる。
【００１３】
そのため、第１の基台のコネクタへ配線を取り付ける作業や、第１の基台のコネクタから配線を取り外す作業等をより容易にすることが可能となる。
【００１４】
また、例えば第２の基台をスライドさせる場合は、移動するためのスペースが幅方向に必要となるが、回動させる構成であれば、幅方向にスペースを設ける必要がなく、限られたスペースをより有効に利用することができる。
【００１５】
請求項３に記載の本発明は、請求項１または２に記載の発明の構成に加えて、第２の基台の何れか一端には第２の基台の回動を防止する固定部（固定部３００ｂ）が形成され、第２の基台は固定部により本体枠における背面側に固定されることを特徴とする。
【００１６】
これにより、第２の基台を固定することができ、第２の基台の不要な回動を防止することができる。また、第２の基台の抜け落ち等を防ぐこともできる。
【００１７】
請求項４に記載の本発明は、請求項１〜３の何れか一項に記載の発明の構成に加えて、第１の基台における第２の基台に覆われない位置に属するコネクタと第２の基台との間には空間が形成されていることを特徴とする。
【００１８】
これにより、当該空間を作業スペースとして利用することができ、第２の基台に覆われていない位置に属するコネクタに装着される配線においては、第２の基台を回動させずに着脱作業を行うことができるので、第２の基台を回動させて作業スペースを確保する手間を省くことができる。
【００１９】
そのため、第１の基台のコネクタへ配線を取り付ける作業や、第１の基台のコネクタから配線を取り外す作業等をより容易にすることが可能となる。
【００２０】
請求項５に記載の本発明は、請求項１〜４の何れか一項に記載の発明の構成に加えて、第１の基台と第２の基台との間には、第１の基台における第２の基台に覆われた位置に属するコネクタに装着される配線の着脱作業をする際に、当該配線の移動に必要な間隔（空き領域４５０）が設けられていることを特徴とする。
【００２１】
これにより、第２の基台に覆われた位置に属するコネクタに装着される配線においては、第２の基台を回動させずに着脱作業を行うことができるので、第２の基台を回動させて作業スペースを確保する手間を省くことができる。
【００２２】
そのため、第１の基台のコネクタへ配線を取り付ける作業や、第１の基台のコネクタから配線を取り外す作業等をより容易にすることが可能となる。
【００２３】
請求項６に記載の本発明は、請求項４に記載の発明の構成に加えて、第２の基台の側面は、第１の基台のコネクタに装着される配線を着脱する際における着脱動作を安定させる着脱動作安定部（壁部３００ｄ）であることを特徴とする。
【００２４】
このように、着脱動作安定部である第２の基台の側面によって、第１の基台における第２の基台に覆われない位置に属するコネクタに装着される配線の着脱動作が安定するため、第１の基台のコネクタへ配線を取り付ける作業や、第１の基台のコネクタから配線を取り外す作業等をより容易に行うことができる。
【発明の効果】
【００２５】
本発明によれば以下の効果を奏することができる。
【００２６】
すなわち、本発明によれば、コネクタを有する基板を重ねて配置することにより、コネクタを配置可能な面積が増加し、限られたスペースをより有効に利用してコネクタを配置することができる。そのため、コネクタの間隔を広げて作業スペースを確保することもでき、コネクタに装着される配線の着脱作業、すなわち、配線の取り付け作業や、取り外し作業等を容易にすることが可能となる。
【００２７】
また、第２の基台は可動するようになっているので、第１の基台を覆うようにして配置されている第２の基台を取り外さずとも、当該第２の基台を可動させることにより、第１の基台と第２の基台との間に作業スペースを生じさせることができる。
【００２８】
そのため、第１の基台のコネクタへ配線を取り付ける作業や、第１の基台のコネクタから配線を取り外す作業等を容易にすることが可能となる。
【発明を実施するための最良の形態】
【００２９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３０】
図１は本発明の一実施の形態である遊技機を示す斜視図、図２は図１の遊技機の遊技盤を示す概略図、図３は図２の遊技盤の背面側を示す説明図、図４は図３に係る第１の基板および第２の基台の拡大図、図５は第２の基台のベース体を示す平面図、図６は図５のベース体の側面図、図７は図４に係る第１の基板および第２の基台をＡ方向から見た断面図、図８は図４に係る第１の基板および第２の基台をＢ方向から見た断面図である。
【００３１】
図１および図２に示すように、パチンコ遊技機（遊技機）１は、遊技盤２ａが装着された本体枠３ａがヒンジを介してベース枠３ｂに回動可能に取り付けられ（すなわち、本体枠３ａは、本体枠３ａの一方端を回動支点として支持されて当該ベース枠３ｂに開閉可能に取り付けられる。）、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００３２】
遊技盤２ａ（図２）は、レール６に包囲され、遊技球の流下が可能な遊技領域２ｂを有している。そして、その遊技領域２ｂには、多数の遊技くぎや風車などの障害物（図示せず）、始動ゲート１５、大入賞口１３、アウト口１４、ワープ口１６、一般入賞口１９、普通図柄表示装置（図示せず）、特別図柄表示装置（図示せず）などと、始動入賞口１２、１７を有する電動役物構成部材１８からなる遊技部材が配置されている。
【００３３】
ここで、一般入賞口１９は、遊技球が入賞すると所定の数の遊技球が払い戻される装置である。また、当該一般入賞口１９に入賞した球は、遊技盤２ａの背面側に設けられた一般球通路１９ａ（図３参照）を転動流下して回収される。
【００３４】
始動ゲート１５は、遊技球が通過したことを契機として普通図柄表示装置に表示される複数の図柄を変動および停止させるための装置、始動入賞口１２，１７は、遊技球が入賞したことを条件として特別図柄表示装置に表示される特別図柄を変動および停止させるための装置である。また、当該始動入賞口１２，１７に入賞した遊技球は、遊技盤２ａの背面側の始動球通路（図示せず）を転動流下して回収される。
【００３５】
大入賞口１３は、特別図柄表示装置の停止時における図柄の組み合わせが予め設定された特定の図柄の組み合わせとなって特別遊技状態に移行した場合に開放状態となる装置である。また、当該大入賞口１３に入賞した球は、遊技盤２ａの背面側に設けられた大入賞球通路（図示せず）を転動流下して回収される。
【００３６】
また、アウト口１４は、一般入賞口、大入賞口１３、始動入賞口１２，１７の何れにも入賞しなかった遊技球が流入して回収される装置である。
【００３７】
そして、特別図柄表示装置は、例えば液晶ディスプレイ、ＣＲＴ（陰極線管）あるいはプラズマディスプレイ等からなり、画像信号入力に基づいて任意の画像を表示する装置である。
【００３８】
ワープ口１６は、流入した遊技球を、遊技盤２ａの背面側に配置されているワープ球通路１６ａへと導く装置である。
【００３９】
ワープ球通路１６ａに導かれた遊技球は、ワープ球通路１６ａを転動流下し、始動入賞口１２の上方に位置するワープ出口１６ｂから排出される。つまり、ワープ口１６に流入した遊技球は、ワープ球通路１６ａによって始動入賞口１２へと案内される。
【００４０】
ここで、ワープ球通路１６ａは、前述のように遊技盤２ａの背面側に配置されており（図３参照）、図２においては点線で示されている。
【００４１】
本実施の形態において、遊技盤２ａは、たとえばポリカーボネートなど透光性（透明性）を有する樹脂からなり、前述した特別図柄表示装置は、このような遊技盤２ａの背後に配置され、遊技盤２ａを通して視認可能になっている。
【００４２】
上述したような遊技盤２ａの下方には、図１に示すように、皿ユニット５が配置されている。皿ユニット５の上部に、払い出された遊技球および遊技領域に打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの図面右側に、遊技終了時などにおいて上皿５ａに貯留された遊技球を下皿５ｂに移動させて取り出す場合に操作されるシャッタレバー１０が設けられている。
【００４３】
皿ユニット５の右側には、レール６を介して遊技盤２ａの遊技領域へ遊技球を打ち込む際に回動操作されるハンドル７が設けられている。ハンドル７には遊技球の発射を停止するストップボタン（図示せず）が設けられている。
【００４４】
なお、ガラス扉４の上部の左右には、スピーカ８ａ，８ｂがそれぞれ配置されている。
【００４５】
次に、図３を用いて遊技盤２ａの背面側の構成について説明する。
【００４６】
図３は、図２の遊技盤の背面側を示す説明図である。
【００４７】
同図に示すように、遊技盤２ａの背面側には、遊技球を転動流下させる各種球通路（ワープ球通路１６ａ、一般球通路１９ａ、大入賞球通路（図示せず）、始動球通路（図示せず）が所定の位置に備えられており、そして、図面右下には、盤面中継基板である第１の基板（第１の基台）２１０と、盤面演出中継基板である第２の基板３１０とが配置されている。
【００４８】
ここで、盤面中継基板は、ＡＣ電源の取り込みや基板間の信号の中継を行う基板である（以下、「第１の基板２１０」という）。また、盤面演出中継基板は、遊技に関する演出を行う演出制御基板（図示せず）からの制御に基づき信号を生成し、遊技盤２ａの各所に配置されているランプやＬＥＤ（図示せず）の点灯表示等を行う基板である（以下、「第２の基板３１０」という）。
【００４９】
第１の基板２１０には、複数種類のコネクタ（基板側コネクタ５０１ａ，５０１ｂ，５０２，５０３）が配置されている。
【００５０】
なお、第１の基板２１０に配置されている基板側コネクタ５０１ｂ，５０３等は、その位置関係上、少なくとも一部が第２の基台３００（後述）に覆われるようになっている（図４および図７参照）。
【００５１】
第２の基板３１０は、ベース体３２０（後述）に係止されるようになっており、表面側には、５つの集積回路３１０ａと、基板側コネクタ３１０ｂとが搭載されている（図４参照）。
【００５２】
なお、上記基板側コネクタ３１０ｂ，５０１ａ，５０１ｂ，５０２，５０３は、両端に配線側コネクタ６１０ａを備えた配線６１０（図７，図８参照）を介して他の基板に電気的に接続することができるようになっている。
【００５３】
例えば、配線６１０の一端に備えられた配線側コネクタ６１０ａを第１の基板２１０の基板側コネクタ５０１ａに装着し、他端に備えられた配線側コネクタを他の基板のコネクタに装着する。これにより、第１の基板２１０と他の基板とを電気的に接続することが可能である。
【００５４】
また、図４、図７および図８に示すように、第１基板２１０と第２の基板３１０には、相互に同一方向の面に上記基板側コネクタが搭載されているので、基板側コネクタ３１０ｂ，５０１ａ，５０１ｂ，５０２，５０３の突出方向は全て同一となる。
【００５５】
次に、図４〜図６を用いて第２の基台について説明する。
【００５６】
第２の基台３００は、アーチ状に形成されたベース体３２０（図６参照）と、このベース体３２０に係止されて取り付けられる上記第２の基板３１０とから構成される可動部材である。
【００５７】
そして、この第２の基台３００は、図４に示すように、第１の基板２１０の少なくとも一部を覆うようにして配置されている。
【００５８】
また、第２の基台３００の図面左端には、軸部３００ａが形成されており、一方、本体枠３ａにおける背面側（以下、「遊技盤２ａ背面側」という。）には、軸受け部（係止部）６００ａを有する台座６００が配置されている（図４参照）。本実施の形態においては、上記軸部３００ａと軸受け部６００ａとが、回動可能に係止（軸支）されるようになっている。
【００５９】
そして、第２の基台３００の図面右端には、第２の基台３００の回動を防止する固定部３００ｂが形成されている。
【００６０】
当該固定部３００ｂにはネジ孔が形成されており、ネジ等で遊技盤２ａの背面側に固定されて取り付けられるようになっている。但し、これに限定されず、例えば、ピン等により固定されるようになっていてもよいし、接着により取り付けられるようになっていてもよい。
【００６１】
また、ベース体３２０には、第２の基板３１０の周縁部を係止するための５つの係止部３００ｃが備えられている（図５参照）。
【００６２】
各係止部３００ｃの先端は、内方に向けて突出しており（図５〜図８参照）、この突出部分により、第２の基板３１０を係止できるようになっている（図４参照）。
【００６３】
また、第２の基台３００の略中央には、下方に向けて切り欠き３００ｅが形成されている（図５参照）。この切り欠き３００ｅは、第２の基板３１０を着脱する際に便宜を図るものであり、この切り欠き３００ｅに指を挿入して第２の基板３１０の下部を指で支えることにより、第２の基板３１０をベース体３２０に係止させる作業や、第２の基板３１０の係止を解除する作業等を容易に行うことができる。さらに、上述したとおり、この切り欠き３００ｅに指を挿入することが可能であるため、少なくとも一部が第２の基台３００に覆われているコネクタ（例えば、図７（ａ）における基板側コネクタ５０１ｂ，５０３）に装着される配線６１０の着脱の際にも、便宜を図ることができる。
【００６４】
図７は、図４に係る第１の基板および第２の基台をＡ方向から見た断面図である。  
【００６５】
なお、図７（ａ）は固定部に固定された第２の基台を示しており、図７（ｂ）は第２の基台を回動させて第１の基板と第２の基台との間に空間を生じさせた状態を示している。
【００６６】
上述したように第２の基台３００において、左端は軸部３００ａ（図４〜図６参照）により回動可能に係止されている一方、右端は固定部３００ｂにより固定されている。
【００６７】
そして、図７（ｂ）に示すように、固定部３００ｂによる固定を解除してこの第２の基台３００を回動させることにより、第１の基板２１０において、第２の基板３００に覆われている部分が露出する。そしてこれにより、第１の基板２１０と第２の基台３００との間に空間を生じさせることができる。この空間は、第１の基板２１０のコネクタへ配線６１０を取り付ける作業や第１の基板２１０のコネクタから配線６１０を取り外す作業等を容易にするための作業スペースとして利用することができる。
【００６８】
特に、上記作業スペースは、第２の基台３００に覆われているコネクタ（図７においては、基板側コネクタ５０１ｂ，５０３）に装着される配線６１０の着脱作業の際に有効に利用することができる。
【００６９】
なお、固定部３００ｂにより第２の基台３００が固定されている状態においても、第１の基板２１０と第２の基台３００との間には、基板側コネクタ５０１ｂ，５０３の突出方向の長さと配線側コネクタ６１０ａの抜き差し方向の長さとの合算を上回る間隔、すなわち、第２の基台３００に覆われた位置に属する基板側コネクタ５０１ｂ，５０３等に装着される配線側コネクタ６１０ａの抜き差しが可能で、且つ当該配線側コネクタ６１０ａの側方（第１の基板２１０の基板面に沿った方向）への移動が自由にできる程度の間隔（以下、「空き領域４５０」という）が形成されている（図８参照）。
【００７０】
そのため、第２の基台３００に覆われた位置に属する基板側コネクタ５０１ｂ，５０３に装着される配線６１０の着脱作業の際には、第２の基台３００を回動させて作業スペースを確保する替わりに、この空き領域４５０を作業スペースとして利用してもよい。
【００７１】
図８は、図４に係る第１の基板および第２の基台をＢ方向から見た断面図である。  
【００７２】
図８（ａ）は第１の基板のコネクタに装着されている配線を手で掴んだ状態を示しており、図８（ｂ）は配線を取り外した状態を示している。
【００７３】
同図に示すように、第１の基板２１０における第２の基台３００に覆われない位置に属するコネクタ（例えば、基板側コネクタ５０１ａ，５０２等）と第２の基台３００との間には、指ないし工具が入り、且つ配線側コネクタ６１０ａを確実に把持できるだけの空間（隙間）が形成されており、この空間に指や工具を差し込むことにより基板側コネクタ５０１ａに配線６１０を装着する作業や、基板側コネクタ５０１ａから配線６１０を取り外す作業等を行うことができる（図８（ａ），（ｂ）参照）。
【００７４】
また、同図に示すように、第２の基台３００の側面には壁部（着脱動作安定部）３００ｄが形成されている。この壁部３００ｄは、第２の基台３００に覆われない位置に属するコネクタ（例えば、基板側コネクタ５０１ａ）に装着される配線６１０の着脱をする際における手（着脱部）７００の支えとなることにより、当該着脱の動作を安定させる役割を有している。これにより、上記配線６１０の着脱をする際のぶれや余分な力みを抑えることができ、基板側コネクタ５０１ａ等に装着される配線６１０の着脱動作が安定する（図８（ａ），（ｂ）参照）。
【００７５】
なお、本実施の形態においては、第２の基台３００の左側の側面を壁部３００ｄとして利用しているが（図８参照）、右側の側面を上記壁部として利用しても勿論よい。
【００７６】
以上、本発明の実施の形態を説明したが、これは本発明を具体的に例示したに過ぎず、特に本発明を限定するものではない。
【００７７】
本実施の形態において、第２の基台３００のベース体３２０は、アーチ状に形成されていたが、ベース体３２０の形状はこれに限られず、他の形状であってもよい。
【００７８】
また、可動部材である第２の基台３００は、本実施の形態においては、回動することにより第１の基板２１０の覆い部分を露出させるようにしていたが、これに限られず他の可動形態により第１の基板２１０の覆い部分を露出させるようにしてもよい。例えば、第２の基台３００は、スライドすることにより第１の基板２１０の覆い部分を露出させるようにしてもよい。
【００７９】
さらに、本実施の形態においては、第２の基台３００には軸部３００ａが、遊技盤２ａ背面側に配置された台座６００には軸受け部６００ａがそれぞれ備えられていたが、これに限られず、種々の形態が考えられる。例えば、第２の基台３００には軸受け部６００ａが、台座６００には軸部３００ａがそれぞれ備えられていてもよい。
【００８０】
また、本実施の形態では、第１の基板２１０は盤面中継基板、第２の基板３１０は盤面演出中継基板であったが、本発明はこれに限定されず、第１の基板２１０および第２の基板３１０は、それぞれ他の種類の基板であってもよい。
【００８１】
また、本実施の形態において、第２の基板３１０は、係止部３００ｃによってベース体３２０に係止されていたが、これに限定されず、ネジ等で取り付けられるようになっていてもよいし、ピン等により固定されてもよい。または、接着により取り付けられてもよい。
【００８２】
このように、本実施の形態によれば、基板側コネクタを有する基板（第１の基板２１０，第２の基板３１０）を重ねて配置することにより、コネクタを配置可能な面積が増加し、限られたスペースをより有効に利用して基板側コネクタ（基板側コネクタ３１０ｂ，５０１ａ，５０１ｂ，５０２，５０３等）を配置することができる。そのため、基板側コネクタの間隔を広げて作業スペースを確保することもでき、基板側コネクタに装着される配線の着脱作業、すなわち、配線６１０の取り付け作業や、取り外し作業等を容易にすることができる。
【００８３】
また、第２の基台３００は可動するようになっているので、第１の基板２１０を覆うようにして配置されている第２の基台３００を取り外さずとも、当該第２の基台３００を可動させることにより、第１の基板２１０と第２の基台３００との間に作業スペースを生じさせることができる。
【００８４】
また、本実施の形態によれば、第２の基台３００は回動可能に備えられるようになっているので、第１の基板２１０を覆うようにして配置されている第２の基台３００を取り外さずとも、当該第２の基台３００を回動させることにより、第１の基板２１０と第２の基台３００との間に作業スペースを生じさせることができる。
【００８５】
そのため、第１の基板２１０の基板側コネクタ（例えば基板側コネクタ５０１ｂ，５０３等）へ配線６１０を取り付ける作業や、第１の基板２１０の基板側コネクタから配線６１０を取り外す作業等を容易にすることが可能となる。
【００８６】
また、例えば第２の基台３００をスライドさせる場合は、移動するためのスペースが幅方向に必要となるが、回動させる構成であれば、幅方向にスペースを設ける必要がなく、限られたスペースをより有効に利用することができる。
【００８７】
また、本実施の形態によれば、第２の基台３００の何れか一端には第２の基台３００の回動を防止する固定部３００ｂが形成されるようになっているので、第２の基台３００を固定することができ、第２の基台３００の不要な回動を防止することができる。また、第２の基台３００の抜け落ち等を防ぐこともできる。
【００８８】
また、本実施の形態によれば、第１の基板２１０における第２の基台３００に覆われない位置に属するコネクタと第２の基台３００との間には空間が形成されているため、当該空間を作業スペースとして利用することができ、第２の基台３００に覆われていない位置に属する基板側コネクタ（例えば基板側コネクタ５０１ａ，５０２等）に装着される配線６１０においては、第２の基台３００を回動させずに着脱作業を行うことができる。これにより、第２の基台３００を回動させて作業スペースを確保する手間を省くことができる。
【００８９】
そのため、第１の基板２１０のコネクタへ配線６１０を取り付ける作業や、第１の基板２１０のコネクタから配線６１０を取り外す作業等をより容易にすることが可能となる。
【００９０】
また、本実施の形態によれば、第１の基板２１０と第２の基台３００との間には、第１の基板２１０における第２の基台３００に覆われた位置に属する基板側コネクタ（例えば基板側コネクタ５０１ｂ，５０３等）に装着される配線６１０の着脱作業をする際に当該配線６１０の移動に必要な間隔（空き領域４５０）が設けられているので、第２の基台３００に覆われた位置に属する基板側コネクタ５０１ｂ，５０３等に装着される配線６１０においては、第２の基台３００を回動させずに着脱作業を行うことができる。これにより、第２の基台３００を回動させて作業スペースを確保する手間を省くことができる。
【００９１】
そのため、第１の基板２１０のコネクタへ配線６１０を取り付ける作業や、第１の基板２１０のコネクタから配線６１０を取り外す作業等をより容易にすることが可能となる。
【００９２】
また、本実施の形態によれば、着脱動作安定部である第２の基台３００の壁部（側面）３００ｄによって、第２の基台３００に覆われない位置に属する基板側コネクタ（例えば基板側コネクタ５０１ａ等）に装着される配線６１０の着脱動作が安定するため、第１の基板２１０のコネクタへ配線６１０を取り付ける作業や、第１の基板２１０のコネクタから配線６１０を取り外す作業等をより容易に行うことができる。
【産業上の利用可能性】
【００９３】
以上の説明においては、本発明をパチンコ遊技機本体が遊技台に取り付けられた遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【００９４】
【図１】本発明の一実施の形態である遊技機を示す斜視図である。
【図２】図１の遊技機の遊技盤を示す概略図である。
【図３】図２の遊技盤の背面側を示す説明図である。
【図４】図３に係る第１の基板および第２の基台の拡大図である。
【図５】第２の基台のベース体を示す平面図である。
【図６】図５のベース体の側面図である。
【図７】図４に係る第１の基板および第２の基台をＡ方向から見た断面図である。
【図８】図４に係る第１の基板および第２の基台をＢ方向から見た断面図である。
【符号の説明】
【００９５】
１  パチンコ遊技機（遊技機）
２ａ  遊技盤
２ｂ  遊技領域
３  遊技機本体
３ａ  本体枠
３ｂ  ベース枠
４  ガラス扉
５  皿ユニット
５ａ  上皿
５ｂ  下皿
６  レール
７  発射ハンドル
８ａ，８ｂ  スピーカ
１０  シャッタレバー
１２，１７  始動入賞口
１３  大入賞口
１４  アウト口
１５  始動ゲート
１６  ワープ口
１６ａ  ワープ球通路
１６ｂ  ワープ出口
１８  電動役物構成部材
１９  一般入賞口
１９ａ  一般球通路
２１０  第１の基板（第１の基台）
３００  第２の基台
３００ａ  軸部
３００ｂ  固定部
３００ｃ  係止部
３００ｄ  壁部（着脱動作安定部）
３００ｅ  切り欠き
３１０  第２の基板
３１０ａ  集積回路
３１０ｂ，５０１ａ，５０１ｂ，５０２，５０３  基板側コネクタ
３２０  ベース体
４５０  空き領域（間隔）
５００  基板側コネクタ
５０１ａ，５０１ｂ  基板側コネクタ
６００  台座
６００ａ  軸受け部（係止部）
６１０  配線
６１０ａ  配線側コネクタ
７００  手（着脱部）
【図１】
2006204810.tif 000003
【図２】
2006204810.tif 000004
【図３】
2006204810.tif 000005
【図４】
2006204810.tif 000006
【図５】
2006204810.tif 000007
【図６】
2006204810.tif 000008
【図７】
2006204810.tif 000009
【図８】
2006204810.tif 000010